Podtech/llm-jp-corpus-v4-ja_patent huggingface dataset:
(57)【要約】      （修正有）【課題】遊技店（パチンコ店）に入店する遊技者の動向を把握し、サービスの向上を計ると供に、良好なコストパフォーマンスが得られるモニタリング管理ができる情報処理システムを提供する。【解決手段】入店の際に受付しＷＥＢカメラ付きサイネージ１で顔認証処理２し、データベース確認３後に管理ＰＣ４にてＩＤ発行５し、来店回数確認６後に来店ポイントの付与を計り、再来店を促す。更に収益を計るためにＷＥＢカメラ付きサイネージを各ラインの遊技機上部に配設しモニタリングすると供に広告情報を放映して広告収入を得る。【選択図】図１
0003215195.tif 000002
【実用新案登録請求の範囲】
【請求項１】
来店者の顔認証による情報取得と店舗が持つデータとを比較し、初回来店者は会員登録を行い、来店回数に応じたポイントを得ることを特徴とする情報処理装置。
【請求項２】
来店者の遊技機上部に設置したＷＥＢカメラ付きサイネージから遊技者の人数を定められた時間毎にモニターし、各ライン毎のグループに分けてデータを管理ＰＣに転送し、自動集計記録保存することを特徴とする請求項１記載の情報処理装置。
【請求項３】
前記来店者の遊技機上部に設置したＷＥＢカメラ付きサイネージは数秒から１分程の広告情報を放映することを特徴とする請求項２記載の情報処理装置。
【考案の詳細な説明】
【技術分野】
【０００１】  本考案は、遊技者を把握しサービスの向上とコスト低減に寄与する情報処理装置に関する。
【背景技術】
【０００２】  遊技店（ホール店舗）に於いては、近年の法規制による出玉制限、遊技者の減少に伴う売り上げの減少等の問題があり、既存のインフラを有効活用し、サイネージ・ＷＥＢカメラ・顔認証を活用した新たなシステムを提供する。【０００３】  特にパチンコ店に於いては、集客の為のチラシ配布、宣伝カー、テレビ広告、新台入れ替等を行い対処しているが、来店者の動向に対する管理システムによるサービスの向上とコスト低減を計る。
【考案の概要】
【考案が解決しようとする課題】
【０００４】  上述した遊技者の現状を鑑みるとアナログ的な手法による来店者対応であり、店内に於ける遊技者の会員勧誘による情報提供や会員カードによる貯玉管理等が遊技者に対する主なサービスになっている。【０００５】  例えば、初回又は複数回来店者の各々の年齢層・性別等、少子高齢化が進む中での来店者の動向又は、最近多く見られる女性客に対する対応とサービスの工夫が求められる。【０００６】  更には各々の来店者がどのラインでどんな遊技台を選びまたは移動するか等の情報を把握し、遊技者により楽しんで戴く為のライン作りに資する。【０００７】  本考案は、このような従来の実情に即して、収益を伴う様々な地域の情報を、サイネージを介して遊技者に提供する。
【課題を解決するための手段】
【０００８】  本考案は、上述の様な課題を踏まえてなされるものであり、来店者をＷＥＢカメラ付きサイネージで識別しどの台でプレーしているか、顔認証による情報取得と遊技者が持つデータとの比較により初回来店者には会員登録を促し、来店ポイントを２回目以降来店者には、来店ポイントを付与することを情報処理する。【０００９】  来店者の遊技台上部に設置したＷＥＢカメラ付きサイネージから遊技者の人数を定められた時間毎にモニターしデータを管理ＰＣに転送記録を行い、モニターは各ライン毎のグループに分けて自動集計し記録するモニタリング管理を行う。【００１０】  前記来店者の遊技台上部に設置した、ＷＥＢカメラ付きサイネージには、時間毎に数秒から３０秒程の広告情報を付与し放映する情報処理装置を提供することができる。
【考案の効果】
【００１１】  上述の様に遊技店に来店を促し、来店された方の動向を的確に把握することでサービス向上を計り、コスト低減と収益向上をもたらすことが出来る情報処理装置である。【００１２】  店内の遊技台の遊技者はライン毎に何人いるか自動的に把握できるため、時間毎の調査が不要になりコスト削減になる。【００１３】  ＷＥＢカメラ付きサイネージにより地域の情報を放映することにより広告収入を得ることが可能となる。
【図面の簡単な説明】
【００１４】
【図１】遊技店の受付ＷＥＢカメラ付きサイネージのシステム概要を示す図である。
【図２】遊技台上部ＷＥＢカメラ付きサイネージによる各ラインのモニターによるモニタリング管理の概要を示す図である。
【図３】来店者に来店ポイント付与の為のＰＣ画面の概要を示す図である。
【図４】図２によるモニタリング管理の時間とライン毎の管理図表である。
【図５】遊技台上部に設置するＷＥＢカメラ付きサイネージの模式的な図である。
【考案を実施するための形態】
【００１５】  以下、本考案の実施形態は遊技台（パチンコ台）を例にして図表を参照して説明する。
【００１６】  図１は、本考案を適用した遊技店に於ける概略構成を示すもので来店者の受付はＷＥＢカメラ付きサイネージ１で顔認証処理２を行いデーターベース確認３後管理ＰＣ４にてＩＤ発行５と来店回数６に伴うポイント７を取得する。
【００１７】  図２は、遊技台１２上部ＷＥＢカメラ付きサイネージ８によりライン毎にモニター管理し管理ＰＣ４へ転送しデータを記録する。
【００１８】  図３は、図１により取得したＩＤ番号５を来店ポイント７として記録９しその詳細データ１０として管理ＰＣ４に記録する。
【００１９】  図４は、ラインの遊技者の人数を時間毎に記録する管理ＰＣ４上の管理表１１である。
【００２０】  図５は、図２により示した遊技台１２上部のＷＥＢカメラ付きサイネージ８の模式図である。
【符号の説明】
【００２１】    １  受付（ＷＥＢカメラ付きサイネージ）
２  ＷＥＢカメラで顔認証処理
３  データーベース確認
４  管理ＰＣ
５  ＩＤ発行
６  来店回数確認
７  来店ポイント取得
８  遊技台上部モニター（ＷＥＢカメラ付きサイネージ）
９  会員毎情報の管理ＰＣ上の図表
１０  会員情報のＰＣ上の図表
１１  遊技者の各ラインの時間毎ＰＣ上の図表
１２  遊技台（パチンコ台）
【図１】
0003215195.tif 000003
【図２】
0003215195.tif 000004
【図３】
0003215195.tif 000005
【図４】
0003215195.tif 000006
【図５】
0003215195.tif 000007
【手続補正書】
【提出日】平成29年12月12日(2017.12.12)
【手続補正１】
【補正対象書類名】実用新案登録請求の範囲
【補正対象項目名】全文
【補正方法】変更
【補正の内容】
【実用新案登録請求の範囲】
【請求項１】
来店者の顔認証による情報取得を行うＷＥＢカメラと、取得した情報と店舗が持つデータとを比較するためのデータベースと、を有し、初回来店者は会員登録を行い、来店回数に応じたポイントを来店者に付与することを特徴とする情報処理システム。
【請求項２】
来店者の遊技機上部に設置したＷＥＢカメラ付きサイネージから遊技者の人数を、定められた時間毎にモニターし、各ライン毎のグループに分けてデータを管理ＰＣに転送し、自動集計記録保存することを特徴とする請求項１記載の情報処理システム。
【請求項３】
前記来店者の遊技機上部に設置したＷＥＢカメラ付きサイネージは、数秒から１分程の広告情報を放映することを特徴とする請求項２記載の情報処理システム。
(57)【要約】      （修正有）【課題】配送箱に紙おむつが一枚ずつ直接取出せる口を設け、そのまま収納箱として使用することにより開封及び収納の手間を省き、衛生的な保管を可能にする紙おむつ配送箱を提供する。【解決手段】配送箱１の側面に下方と側面上下方向に、切取線で開けることのできる取出口２と残量確認窓３をそれぞれ設け、配送箱本体からの紙おむつの一枚ずつの取出しを可能とし、且つ紙おむつ４を列ごとにポリエチレン袋で包装することにより衛生を保ちながら、開封及び収納の手間を削減する。【選択図】図１
0003215140.tif 000002
【実用新案登録請求の範囲】
【請求項１】
略直方体形状の配送箱本体と、前記配送箱本体の一面に置ける下方側に形成され、切取線で開けられる取出口と、前記配送箱本体の一面における上下方向に形成させ切取線で開けられる残量確認窓とを具備することを特徴とする紙おむつ配送箱。
【請求項２】
一面と対向する他面にも取出口と残量確認窓を形成することを特徴とする請求項１記載の紙おむつ配送箱。
【請求項３】
縦方向に１列に積み重ねポリエチレン袋で包装した紙おむつを内蔵することを特徴とする請求項1又は２に記載の紙おむつ配送箱。
【考案の詳細な説明】
【技術分野】
【０００１】
本考案は、箱側面に切取式の紙おむつ取出し口を設けた、紙おむつ配送箱に関する。
【背景技術】
【０００２】
紙おむつを通信販売等で購入すると、ダンボールの配送箱の中にポリエチレン袋で50〜100枚程度ごとに内装された紙おむつが入った状態で届き、開封して使用する。しかし、その配送箱や内装袋は部屋の中にそのまま置くことを考慮されていないデザインのため、そのままではだらしなく見える上に取出しにくい。そのため多くの家庭では、開封した配送箱は解体して処分し、普段使用する分の紙おむつを内装袋から別の収納容器（専用の収納箱やバスケットなど）に詰め替え、残りは押入れに収納するなどしていた。
【先行技術文献】
【特許文献】
【０００３】
【特許文献１】実用新案登録第３０４４７３５号公報
【考案の概要】
【考案が解決しようとする課題】
【０００４】
従来技術では、紙おむつが届いてから、箱や袋の開封・紙おむつの詰め替え・箱や袋の処分といった一連の作業に手間や労力が必要であること、また、容器に入らない分の紙おむつを保管するための収納スペースが必要であることが課題であった。また、詰め替えの際に紙おむつを袋から出すため、衛生面にも問題があった。
【課題を解決するための手段】
【０００５】
本考案は、厚さ３〜５ミリメートル程度のダンボール素材で作られた、高さ約３５cm・幅約２０cm・奥行き約３０cm〜４５cm程度のほぼ直方体形状（A式箱型が好ましい）の配送箱本体の一面の下方側に、切取線で開けられる幅約１２cm・高さ約３cm（最低部）から約５cm（最高部）程度の凸型の取出口を設け、その上部に同じく切取線によって開けられる幅約３cm・高さ約２０cm程度の残量確認窓を設けることによって、配送箱からの紙おむつの直接の取出し及び目視での残量確認を可能にする。対向する他面にも同じく取出口と残量確認窓を設け、一方を使い切ったら対向面を正面にすることにより、さらにもう一列を使うことができる。内蔵する紙おむつは、衛生面に配慮し配送箱に直接触れないよう、縦方向に積み重ねて一列ずつ透明のポリエチレン袋で包装する。一列あたりの積み重ねる数は50枚程度が好ましい。
【０００６】
ポリエチレン袋の、配送箱本体の取出口と重なる部分には、配送箱と同じ形状及び寸法の切取線があり、切取線を開ければ手を入れて紙おむつが取り出せるようになっている。ズレを防ぎ取出しやすくするため、ポリエチレン袋と配送箱本体は一列あたり３箇所を糊で接着する。また、室内にそのまま置くものであるから、インテリア性を高めるため、白色や黒色などのダンボール素材を使用し、配送箱表面に模様やイラスト等を印刷しても良い。室内に置く際の衛生面に配慮し、配送時は配送箱本体をポリエチレン袋で包み、配送中や伝票貼り付けによる表面の汚れを防ぐことが好ましい。
【考案の効果】
【０００７】
上述のように、本考案の配送箱は受け取ってから切取線に沿って切り取るだけで直接紙おむつを一枚ずつ取り出すことができ、残量確認窓から残量も目視で知ることができるので、時間と手間を省けるだけでなく、紙おむつを一列ごとにポリエチレン袋で包装することで衛生的な収納箱としても使うことができる。
【図面の簡単な説明】
【０００８】
【図１】本考案の紙おむつ配送箱兼収納箱の実施例を示す図である。
【図２】本配送箱兼収納箱の配送時の実施例及び表面デザインの例を示す図である。
【考案を実施するための形態】
【０００９】
縦一列に積み重ねた紙おむつは列ごとにポリエチレン袋で包装し、配送箱の取出し口に当たる部分に開封のための切取線を入れる。ポリエチレン袋は、ずれを防ぐため上底面及び取出口に当たる部分を配送箱と接着する。また、サイズ確認と残量確認が容易にできる
よう紙おむつの柄のある面が取出し口方向に向くよう配置する。配送箱の前後２面には切取線で開封することのできる取出し口を設け、取出し口の上部には残量が分かるよう切取線で開けることのできる残量確認窓を設ける。
【実施例】
【００１０】
以下、図面１に沿って一実施例を説明する。この実施例では乳児用紙おむつSサイズが１００枚収納可能なものを作成した。１は厚さ３〜５ミリ程度の段ボール素材にてA式箱型に形成した、高さ約３５cm・幅約２０cm・奥行き約３０cmの配送箱本体、２は手を入れて紙おむつを１枚ずつ容易に取り出すことができるように配送箱本体１の側面に設けた幅約１２cm・高さ約３cm（最低部）から約５cm（最高部）の凸型の取出口、３は内容の残量が分かるように取出口２の上部に設けた幅約３cm・高さ約２０cmの残量確認窓である。取出口２と残量確認窓３は配送箱本体１に切取線で形成した。２bと３bは対向する面に同じく切取線で形成した取出口と残量確認窓である。４は、１列につき５０枚ずつ透明のポリエチレン袋で包装された紙おむつで、取出口２に当たる部分が同じ形に切れるよう切取線を付けた。これを２列内蔵した。ポリエチレン袋のズレを防ぐため、列ごとに５ａ、５b、５cの三箇所を配送箱本体１の内側と接着剤で固定した。ポリエチレン袋内の紙おむつは、折り畳まれた状態で股部分に当たる短手側つまり通常絵柄が印刷される側が残量確認窓から見えるよう縦方向に積み重ねた。
【００１１】
図面２の１は、配送中の汚れや配送伝票貼り付けによる印刷のはがれから配送箱表面を守るためポリエチレン袋での包装を施した。図面２の２は、室内に置いた際にインテリアとなじむよう、模様を配送箱表面に印刷した。
【符号の説明】
【００１２】
１        配送箱本体
２        取出口
２b      対向面側の取出口
３        残量確認窓
３b      対向面側の残量確認窓
４        １列ずつポリエチレン袋で包装された紙おむつ
５ａ〜c  ポリエチレン袋と配送箱内側の接着箇所
【図１】
0003215140.tif 000003
【図２】
0003215140.tif 000004
(57)【要約】      （修正有）【課題】荷車が階段などの段差を滑らかに移動できる落下時緩衝器具を提供する。【解決手段】荷車の左右一対の車輪の間に傾斜材１０を設け、荷車が進行して車輪が階段８などの段差を落下しようとしたときに段差の角に傾斜材１０があたり、傾斜材１０に添って荷車が移動降下することで、直接の落下に比べ少ない衝撃の降下になる。また、階段８などを上る時は、荷車を引くと段差の角に荷車の傾斜材１０があたり、傾斜材１０に添って移動上昇し、車輪に接すると車輪の転がり移動で段差を越えるようになり、荷車を手で持ち上げることに比べ容易な作業になる。【選択図】図１
0003215146.tif 000002
【実用新案登録請求の範囲】
【請求項１】
荷車の左右一対の車輪の間に傾斜材を付け、荷車が階段などの段差の角で車輪が落下始めると、段差の角が傾斜材にあたり、傾斜材の傾斜に沿って荷車がすべり、落下状態に比べゆるやかに降下することを特徴とする荷車の階段など落下時緩衝器具。
【考案の詳細な説明】
【技術分野】
【０００１】
本考案は荷車が階段など段差を移動する時の緩衝に関するものである。
【背景技術】
【０００２】
従来、荷車が階段などの段差を降下時に衝撃を受ける、また段差を上昇するときは持ち上げるなどの不便がある。
【考案の開示】
【考案が解決しようとする課題】
【０００３】
荷車が簡単な構造で階段などの段差を滑らかに移動できる器具が必要である。
【課題を解決するための手段】
【０００４】
荷車の左右一対の車輪の間に傾斜材を付け、荷車が進行して車輪が階段などの段差を落下しようとしたときに段差の角が傾斜材にあたり、傾斜材の傾斜に添って荷車が移動降下することで、直接の落下に比べ少ない衝撃の降下になる。
【０００５】
また、階段などの段差を上る時は、荷車を引くと段差の角に荷車の傾斜材があたり、傾斜材に添って移動上昇し、車輪に接すると車輪の転がり移動で段差を越えるようになり、荷車を手で持ち上げることに比べ容易な作業になる。
【考案の効果】
【０００６】
荷車が階段などの段差を滑らかに移動できるようになる。
【考案を実施するための形態】
【０００７】
添付の図面の図１において説明する。
図１で荷車は主に取っ手１、荷物入れ２、受け枠３、車輪支柱４、車輪５、車輪６、取っ手支柱９でなり、本考案の傾斜材を１０で示す。
図１の場合、傾斜材１０は繋ぎ材７と受け枠３で支えている。
図１は荷車が階段８の段差を進行する状態で段差の角を傾斜材１０に添ってすべり降りる状態時、またはすべり上がる状態時を示します。
【図面の簡単な説明】
【０００８】
【図１】荷車に本考案器具を実施した荷車の側面図を示す。
【符号の説明】
【０００９】
１  取っ手
２  荷物入れ
３  受け枠
４  車輪支柱
５  車輪
６  車輪軸
７  繋ぎ材
８  階段
９  取っ手支柱
１０  傾斜材
【図１】
0003215146.tif 000003
(57)【要約】【課題】容易に中央部分を識別することができる腰紐を提供する。【解決手段】紐部２の表側の中央に識別部４を形成し、また、識別部４の近傍の裏側に滑り止め部５を貼り付けて腰紐１を構成する。【選択図】図１
0003215165.tif 000002
【実用新案登録請求の範囲】
【請求項１】
紐部の中央に識別部を有する、
ことを特徴とする腰紐。
【請求項２】
前記識別部の近傍に滑り止め部を有する、
ことを特徴とする請求項１に記載された腰紐。
【請求項３】
前記滑り止め部が、
前記識別部の隣であって、この識別部が備えられた側の裏側に備えられた、
ことを特徴とする請求項２に記載された腰紐。
【請求項４】
前記識別部が刺繍である、
ことを特徴とする請求項１から請求項３のいずれか１項に記載された腰紐。
【考案の詳細な説明】
【技術分野】
【０００１】
本考案は、着物を着る際に用いられる腰紐に関するものである。
【背景技術】
【０００２】
従来、着付けに用いられる小物として、例えば、下記特許文献１に記載された腰紐などがある。腰紐は、着物や長襦袢（以下、「着物等」と記す。）をはだけないように仮留めするために用いられ、着物等のうえから着用者の腰に巻かれて締められる。
【０００３】
一般的に、着用者は、左右の前身頃を身体に巻き付けて正面側で重ね、片方の手で前身頃を押え、もう片方の手を使って腰紐の中央部分を前身頃の衿先あたりに当て、腰紐を身体に巻き付けて締める。
【先行技術文献】
【特許文献】
【０００４】
【特許文献１】特開２０１７−８２３５６号公報
【考案の概要】
【考案が解決しようとする課題】
【０００５】
しかし、着付けにおいて、片方の手がふさがった状態で、もう片方の手のみで腰紐の中央部分を識別することは困難である。
【０００６】
本考案は、上記の実情に鑑みて提案されたものである。すなわち、容易に中央部分を識別することができる腰紐の提供を目的とする。
【課題を解決するための手段】
【０００７】
上記目的を達成するために、本考案に係る腰紐は、紐部の中央に識別部を有する、ことを特徴とする。
【０００８】
本考案に係る腰紐は、前記識別部の近傍に滑り止め部を有する、ことを特徴とする。
【０００９】
本考案に係る腰紐は、前記滑り止め部が、前記識別部の隣であって、この識別部が備えられた側の裏側に備えられた、ことを特徴とする。
【００１０】
本考案に係る腰紐は、前記識別部が刺繍である、ことを特徴とする。
【考案の効果】
【００１１】
本考案に係る腰紐は、紐部の中央に識別部を有している。したがって、着用者は、識別部を視認することで、容易に腰紐の中央部分を識別することができる。
【００１２】
本考案に係る腰紐は、識別部の近傍に滑り止め部を有している。滑り止め部が衿先の近傍に当たることで、腰紐が前身頃に対してずれることなく留まる。したがって、着用者は、容易に腰紐を用いることができる。
【００１３】
本考案に係る腰紐は、滑り止め部が、識別部の隣であって、この識別部が備えられた側の裏側に備えられている。着用者は、識別部を表側にして、裏側の滑り止め部を衿先の近傍に当てて着付けをする。したがって、着用者は、容易に腰紐の中央部分を識別することができ、かつ、容易に腰紐を用いることができる。
【００１４】
本考案に係る腰紐は、識別部が刺繍である。したがって、腰紐は意匠が優れている。
【図面の簡単な説明】
【００１５】
【図１】図１は、本考案の実施形態に係る腰紐の外観斜視図である。
【考案を実施するための形態】
【００１６】
以下に、本考案の実施形態に係る腰紐を図面に基づいて説明する。図１は、腰紐の外観が示されている。
【００１７】
図１に示されているとおり、腰紐１は、紐部２の表側の中央に識別部４が形成され、また、識別部４の近傍の裏側に滑り止め部５が備えられている。紐部２は、例えば、モスリン、正絹、化学繊維などであり、長さが約２２０センチメートル、幅が約４センチメートルから４．５センチメートルである。紐部２の両端部３ａ，３ｂは、それぞれ三角形に折られた状態で縫製されている。紐部２の片方の端部３ｂは、刺繍などの装飾６が施されている。なお、紐部２の色、素材、長さ、装飾６は、任意である。
【００１８】
識別部４は、例えばレーヨンなどの糸で装飾された刺繍である。刺繍糸の色や素材は任意であり、刺繍の模様も任意である。
【００１９】
滑り止め部５は、例えば、ポリウレタン、ポリ塩化ビニル、アクリル、シリコンなどであり、薄いシート状である。滑り止め部５は、識別部４の右隣りであって、識別部４の裏側に貼り付けられている。なお、滑り止め部５は、例えば、青海波、市松、麻の葉、亀甲、籠目などの凹凸模様が施されていてもよい。
【００２０】
上記のとおり腰紐１が構成されている。着用者は、身体に巻き付けて正面側で重ねた前身頃を片方の手で押え、もう片方の手で、識別部４を手掛かりとして腰紐１の中央部分を把持する。着用者が、識別部４を表側にして前身頃の衿先の近傍に当てると、裏側の滑り止め部５が前身頃の衿先の近傍に当たって留まる。この状態で、着用者は、腰紐１を腰に巻き付けて締める。
【００２１】
上記したとおり、腰紐１は、紐部２の中央に識別部４として刺繍が施されている。したがって、着用者は、刺繍を視認することで、容易に腰紐１の中央部分を識別することができる。また、様々な刺繍を施すことで、着用者の嗜好に応じた意匠を実現することができる。
【００２２】
腰紐１は、滑り止め部５が、識別部４の右隣りであって、識別部４の裏側に貼り付けられている。着用者が、識別部４を表側にして前身頃の衿先の近傍に当てると、裏側の滑り止め部５が前身頃の衿先の近傍に当たって留まる。したがって、着用者は、容易に腰紐１を用いることができる。
【００２３】
なお、前身頃の衿先の近傍に当たって腰紐１を留めることができれば、滑り止め部５の大きさは任意である。例えば、識別部４より右側に約１４センチメートルの位置から、識別部４より左側に約４センチメートルの位置までの間の範囲で、任意の大きさが選択される。
【００２４】
以上、本考案の実施形態を詳述したが、本考案は上記実施形態に限定されるものではない。そして本考案は、実用新案登録請求の範囲に記載された事項を逸脱することがなければ、種々の設計変更を行うことが可能である。
【符号の説明】
【００２５】
１                腰紐
２                紐部
３ａ，３ｂ        端部
４                識別部
５                滑り止め部
６                装飾
【図１】
0003215165.tif 000003
(57)【要約】      （修正有）【課題】プランターの貯水槽に水を貯めるときに貯水槽が満杯になるタイミングをわかりやすくする。【解決手段】水を貯める貯水槽１ｂの上方に土壌を入れる土壌充填槽１ａを形成したプランター１において、貯水槽内１ａと連通するオーバーフロー口部を側壁の外面部分である水位計６に設けた。【選択図】図１
0003215961.tif 000002
【実用新案登録請求の範囲】
【請求項１】
水を貯める貯水槽の上方に土壌を入れる土壌充填槽を形成したプランターにおいて、貯水槽内と連通するオーバーフロー口部を側壁の外面部分に設けたことを特徴とするプランター。
【請求項２】
請求項１のプランターにおいて、
前記外面に上記貯水槽内と内部が連通する水位計を設け、この水位計の壁を開口させて上記オーバーフロー口部を形成したことを特徴とするプランター。
【請求項３】
請求項１又は２のプランターにおいて、
プランター容器内を上下に仕切って前記土壌充填槽と上記貯水槽とを形成する仕切り部材を、多数の孔を有する仕切板と、この仕切板の上に載置されて前記孔を塞ぐ孔塞部材とで構成したことを特徴とするプランター。
【請求項４】
請求項３のプランターにおいて、
前記孔塞部材が前記多数の孔それぞれと重ならないように形成された多数の孔を有する部材であることを特徴とするプランター。
【請求項５】
請求項３又は４のプランターにおいて、
上記孔塞部材が発泡スチロール板からなることを特徴とするプランター。
【考案の詳細な説明】
【技術分野】
【０００１】
本考案は、屋外や屋内に設置して植物を育てるのに用いるプランターに関するものである。
【背景技術】
【０００２】
従来、水を貯める貯水槽の上方に土壌を入れる土壌充填槽を形成したプランターが知られている。
【考案の概要】
【考案が解決しようとする課題】
【０００３】
ところが、プランターの構造によっては、貯水槽に水を貯めるときに貯水槽が満杯になるタイミングがわかりにくいという課題がある。
【課題を解決するための手段】
【０００４】
上述した課題を解決するために、本考案は、水を貯める貯水槽の上方に土壌を入れる土壌充填槽を形成したプランターにおいて、貯水槽内と連通するオーバーフロー口部を側壁の外面部分に設けたことを特徴とするものである。
【考案の効果】
【０００５】
本考案によれば、側壁の外面部分に設けたオーバーフロー口部からオーバーフローしている水を目視することで貯水槽の満杯タイミングを容易に把握できるという優れた効果がある。
【図面の簡単な説明】
【０００６】
【図１】プランターの概略構成図。
【図２】同プランターの分解斜視図。
【図３】同プランターの部分拡大断面図。
【図４】同プランターの他の箇所の部分拡大断面図。
【考案を実施するための形態】
【０００７】
以下、本考案を適用したプランターの一実施形態について説明する。
図１はプランター１の概略構成図である。上方が開口した箱形の容器２と、容器２内を土壌充填槽１ａと貯水槽１ｂとに上下に仕切りる仕切り部材３と、吸水パイプ４と、水抜栓５と、水位計６とを備えている。この図１では内部構造を示すために容器２の壁を透明と仮定して描いている。
【０００８】
図２は同プランター１の分解斜視図である。上記仕切り部材３は土壌や植物の加重に耐える強度を備えた仕切板としてのメタルプレート３１と、この上に載置される発泡スチロール板３２とからなる。メタルプレート３１には容器への設置や取り外しのときに使用する一対の取っ手３３が設けられている。これらメタルプレート３１と発泡スチロール板３２とにはそれぞれ貯水槽の水分（湿気）を通過させるため孔３１ａ，３２ａが多数形成されている。メタルプレート３１や発泡スチロール板３２の大きさが例えば１５９０ｍｍ×３９０ｍｍ程度であれば、孔径が例えば１５ｍｍ程度の孔をメタルプレート３１と発泡スチロール板３２とのそれぞれに６×１０の６０個程度、均等に形成する。そして、容器２の内壁にはこのメタルプレート３１を所定高さ（例えば底面から５０ｍｍの高さ）に保持するための載置片２１が取り付けられている。
【０００９】
上記吸水パイプ４は上下端４１，４２が開口し、上端４１が容器２の側壁上端とほぼ同じ高さになり、下端４２が仕切り部材３の切り欠きを通って貯水槽に臨む高さになるように容器２の内壁に固定されている。例えば、容器２や吸水パイプ４をそれぞれ金属製とし吸水パイプ４を溶接などで容器２内壁に固定する。この場合、上記載置片２１も金属製とし溶接で容器２内壁に固定するのが望ましい。
【００１０】
上記水抜栓５は容器２の底壁に設けられ、レバー５１を用いて栓の開閉が可能で、栓を開いた状態で下端から貯水槽内の水を排水できる。上記水位計６は容器２の側壁２２の外壁面部に設けられている。
【００１１】
図３は上記水位計６及びその周辺の断面図である。水位計６は容器２の側壁２２の外面側に位置するように取り付けられ、中空内部が貯水槽内に連通している。ガラスなどの透明部材６１がはめ込まれた水位確認用の窓６２を備えている。そして、この水位計６の上部にオーバーフロー口６３が形成されている。図示の例ではオーバーフロー口６３の下端の高さがメタルプレート３１の中心高さとほぼ等しくなるように設定している。これとはことなり、メタルプレート３１の下面よりも低い高さに設定したり、逆に発泡スチロール板３２の厚み内の高さに設定したりしてもよい。
【００１２】
図４はメタルプレート３１と発泡スチロール板３２との部分断面図である。それぞれの孔３１ａ，３２ａは互いに重ならないように形成されている。これにより、土壌が孔３１ａ，３２ａを介して貯水槽内に落ち込まないようにしている。すなわち、発泡スチロール板３２はメタルプレート３１の孔３１ａを塞ぐ孔塞部材として機能している。
【００１３】
なお、このプランター１の底面に車輪を付けて移動させやすいようにしてもよい。
また、図示の例は一例であり、種々の変形が可能である
【符号の説明】
【００１４】
１      ：プランター
１ａ    ：土壌充填槽
１ｂ    ：貯水槽
２      ：容器
３      ：仕切り部材
４      ：吸水パイプ
５      ：水抜栓
６      ：水位計
２１    ：載置片
２２    ：側壁
３１    ：メタルプレート
３１ａ  ：孔
３２    ：発泡スチロール板
３２ａ  ：孔
３３    ：取っ手
４１    ：上端
４２    ：下端
５１    ：レバー
６１    ：透明部材
６２    ：窓
６３    ：オーバーフロー口
【図１】
0003215961.tif 000003
【図２】
0003215961.tif 000004
【図３】
0003215961.tif 000005
【図４】
0003215961.tif 000006
(57)【要約】      （修正有）【課題】マイクロファイバークリーニングクロス素材を使用し、印象に残り記憶して貰う名刺を提供する。【解決手段】マイクロファイバークリーニングクロス素材１に名刺情報２とＱＲコード（登録商標）３をプリントし、記載情報を瞬時にモバイル機器に登録することで手渡した相手に強い印象を与えるだけでなく、モバイル機器やメガネなど日用品のクリーナークロスとして利用でき且つ頻繁に使用されることで名前等も記憶してもらえ広告効果が高く役に立つ。【選択図】図１
0003215926.tif 000002
【実用新案登録請求の範囲】
【請求項１】
極細繊維からなる布地に名刺情報が印刷をされてなる名刺。
【請求項２】
ＱＲコードがさらに印刷されている請求項１に記載の名刺。
【考案の詳細な説明】
【技術分野】
【０００１】  本考案は、名刺に関するものである。
【背景技術】
【０００２】  初対面や部署移動時に個人間でやりとりする名刺は、自己紹介を目的とした重要ツールであるが、その殆どが紙製である。
【考案の概要】
【考案が解決しようとする課題】
【０００３】  名刺は相手に自分を知ってもらい記憶してもらう役目がある。一般的な名刺は似たようなサイズと材質で印象に残る要素がほとんどない。渡した名刺は名刺ホルダーで保管されるかゴミ箱に捨てられるかで再度と取り出される可能性は低い。印象に残り記憶にのこるという課題を解決する名刺である。
【課題を解決するための手段】
【０００４】  本案件は、マイクロファイバークリーニングクロス素材（極細繊維とも称される）に名刺情報をプリントしている。また、ＱＲコードもプリントし名刺記載情報を瞬時にモバイル端末に登録できる。登録後はモバイル機器をはじめメガネや日用品のクリーナークロスとしても活用できる。
【考案の効果】
【０００５】  手渡された瞬間のインパクトは絶大で印象に残る。また、特にビジネスシーンではほとんどの人が保持しているモバイル端末へその場で登録いただくことが可能になる。何よりそのような説明を初対面の人に語ることで確実に印象に残る。登録後は、名刺としてではなくクリーナーとして使用でき、頻繁に名前を目にする機会が増えるためますます印象に残る。
【図面の簡単な説明】
【０００６】
【図１】本考案のマイクロファイバークロイスを示す正面図
【考案を実施するための形態】
【０００７】  名刺サイズに折畳まれた本体は、初対面の相手へ名刺交換時に手渡される。一般的な紙名刺と異なる素材で感触が異なるため、受け取った相手方には予想外の印象を与える。名刺には名刺情報の他ＱＲコードをプリントしており、このＱＲコードを利用して自身の名刺情報はもちろん、ｗｅｂサイト等へアクセスさせることが可能となる。特に名刺情報は簡単にモバイル機器に登録が可能で入力の手間が短縮される。しかもこの名刺は、素材がマイクロファイバー素材でモバイル機器やメガネなど日用品全般のクリーニングクロスとして活用できる。このため携帯される可能性や使用される頻度が多く、高い広告効果も期待される。名刺を渡した相手に印象づけることで記憶に残りやすく（名前を憶えてもらいやすく）、身近に携帯され、捨てられにくいだけでなく渡された相手にもクリーニングクロスとして役立つ名刺である。
【符号の説明】
【０００８】  １  マイクロファイバークリーニングクロス素材
２  名刺情報表示部分（裏面はプリントなし）
３  ＱＲコード表示部分（裏面はプリントなし）
４  ２つ折り部分
【図１】
0003215926.tif 000003
(57)【要約】      （修正有）【課題】自動販売機内コラムにおいて、投入する商品の商品名、商品コード、賞味期限等が統一的に標準化され、何人でも識別が容易となるためのプレートを提供する。【解決手段】自動販売機内に貼付できるような接着機構２を裏面に有し、表面に表記用スペース面３を設けることで商品識別が容易となる。【選択図】図１
0003215975.tif 000002
【実用新案登録請求の範囲】
【請求項１】
本体プレート１の裏面に接着機構２を備え、
表面に表記用スペース面３を備え、
を特徴とする自動販売機コラム用プレート。
【請求項２】
本体プレート１の裏面に接着機構２を備え、
表面に表記用スペース面３を備え、
当該表記用スペース面３の色が付着されたこと、
を特徴とする自動販売機コラム用プレート。
【請求項３】
本体プレート１の裏面に粒子状の磁石を貼付させ、
表面に表記用スペース面３を備え、
を特徴とする自動販売機コラム用プレート。
【考案の詳細な説明】
【技術分野】
【０００１】
本考案は、自動販売機内のコラムに投入する飲料の管理を容易にするプレートに関するものである。
【背景技術】
【０００２】
一般的な自動販売機の庫内には、飲料や食品を保管・販売するためのコラムを有しており、当該コラムに商品を投入し保管・販売をしている。コラムは自動販売機の購入ボタンと連動しているため、正確に商品を投入する必要があるが、特に清涼飲料水の自動販売機は季節や売れ筋商品の変動によってコラムに投入する飲料の入れ替えは頻繁に行われる。賞味期限の短い商品もあり、期限管理も必須となっている。
【０００３】
通常、飲料の販売は加温又は冷却して行うが、一般的な自動販売機内のコラムには、加温及び冷却の両機能を有したコラムがあり、季節によっていずれの飲料も提供できるようになっている。加温冷却の切替に関しても上記と同様に正確に管理をすることが必要となる。
【０００４】
このように徹底した管理が必要である一方で、コラムに投入する商品を識別する方法はコラム下の貼付シート枠内に手書きするという極めて原始的な手段を採っている。自動販売機メーカーによりその枠寸法はかなり細いものもある。この枠内に手書きするため、商品変更する度に横線で消してその隣や下に更新した商品名を記入するという手法となり、枠に収まらないときは枠外に記入もしくは上から白のシールを貼付して記入せざるを得ない。
また、商品を視覚によって識別するための手段を有しておらず、あくまでも手書きの小さな文字によって対応をしているのが現状である。
【０００５】
さらに自動販売機内の商品の補充・入替は定期的に行う必要があり、同一の担当者が継続的に補充・入替を行うのが一般的であるため、上述の手書きのメモに記載される情報は、当該担当者にのみ識別できる文字、略語で対応するケースも見受けられる。そのため担当者の変更などにより他の者が作業する場合には、当該文字及び略語が判読しづらく誤投入、テスト販売などによる商品照合、書き直しなどの作業が発生する
このように、統一化あるいは標準化された識別の方法がないためにコラム内の商品の補充・入替、担当者の変更に伴い、その都度書き換える必要があり、非常に煩雑となり時間ロスに繋がっている
【考案の概要】
【考案が解決しようとする課題】
【０００６】
解決しようとする問題点は、自動販売機コラムに投入する飲料の識別管理が煩雑、幼稚であり、そのことがミスの発生と時間のロスとなっている点である。
【課題を解決するための手段】
【０００７】
本考案は、表面に商品名・商品コード・賞味期限等を記入する欄を備え、当該欄については色による識別が可能となっている。また裏面は、自動販売機内に簡易に貼付可能手段を備えていることを主要な特徴とする。
【考案の効果】
【０００８】
本考案は、裏面に簡易な貼付可能手段を備えているため、商品の入れ替えとともに貼付場所を変更するという動作のみで管理が可能となる。さらに表面に商品名のみならず、商品コード、賞味期限、を記入するスペースを有するため、商品識別が容易となる。
【０００９】
上述の通り、文字・色によって何人でも商品識別が容易となることで商品の入れ替え作業に要する時間も短縮され効率的な作業ができる。
【図面の簡単な説明】
【００１０】
【図１】図１は本考案の実施例の斜視図である。（実施例１）
【図２】図２は本考案の実施例の側面図である。
【図３】図３は本考案の実施例の使用例を表した図である。
【考案を実施するための形態】
【実施例１】
【００１１】
以下図示された実施例に基づいて説明する。
【００１２】
本体プレート１は、厚紙より成るが自動販売機内は湿度が高いため、耐湿性を有する必要がある。また裏面には自動販売機内に貼付できる手段を備えており、貼付できる手段としては粘着性を有する両面テープ、マグネット、磁性を持つ材料を裏面に塗布したものなどがあるが、磁性を持つ材料を裏面に塗布したものが好ましい。
【００１３】
本考案の本体プレート１の表面には表記用スペース面３を有する。商品名、商品コード、賞味期限等を当該スペース面に記載し、コラムの位置に対応させて貼付することで識別が容易となる。当該スペース面に色を付して表記をすれば、さらに識別性を高めることができる。また表記用スペース面３に予め印刷されたシールを貼付するような使用方法も可能である。本考案は商品の売れ行き状況を勘案して、投入するコラムの位置を変更した場合、それに伴い本考案の貼付場所を入れ替える。
【００１４】
本体プレート１は、マグネットシートを裁断し、シールを貼付したものでも代用可能である。
【符号の説明】
【００１５】
１  本体プレート１
２  接着機構２
３  表記用スペース面３
４  自動販売機のコラム投入口
５  自動販売機の扉
６  自動販売機の内扉
７  貼付した本考案
【図１】
0003215975.tif 000003
【図２】
0003215975.tif 000004
【図３】
0003215975.tif 000005
(57)【要約】【課題】１本、２本または３本の花を挿すことができる一輪挿し花瓶を、転倒することなく安定させて載置できる一輪挿し花瓶セットを提供する。【解決手段】一輪挿し花瓶セット１００は、第１の一輪挿し花瓶１０、第２の一輪挿し花瓶１１及び台座２０を有している。台座２０は嵌め込み部を有しており、第１の一輪挿し花瓶１０が、嵌め込まれるように形成されている第１の嵌め込み部２０ａと、第２の一輪挿し花瓶１１が、嵌め込まれるように形成されている第２の嵌め込み部２０ｂを有している。このような一輪挿し花瓶セット１００は、一または複数の一輪挿し花瓶を、台座に、簡易に安定させて載置させることができる。【選択図】図２
0003215979.tif 000002
【実用新案登録請求の範囲】
【請求項１】
一輪挿し花瓶と、前記一輪挿し花瓶を載置する台座を有する一輪挿し花瓶セットであって、
前記台座には、開口を有する嵌め込み部が、一体的になるように設けられており、
前記一輪挿し花瓶の底部分が、前記嵌め込み部の開口に嵌め込まれるように形成されていることを特徴とする一輪挿し花瓶セット。
【請求項２】
前記一輪挿し花瓶は、第１の一輪挿し花瓶と、第２の一輪挿し花瓶を有し、
前記台座の前記嵌め込み部は、前記第１の一輪挿し花瓶が、嵌め込まれるように形成されている第１の嵌め込み部と、前記第２の一輪挿し花瓶が、嵌め込まれるように形成されている第２の嵌め込み部を有することを特徴とする請求項１に記載の一輪挿し花瓶セット。
【請求項３】
前記第１の一輪挿し花瓶と前記第２の一輪挿し花瓶は、大きさが異なるように形成された一対の夫婦一輪挿しであることを特徴とする請求項２に記載の一輪挿し花瓶セット。
【考案の詳細な説明】
【技術分野】
【０００１】
本考案は、一輪挿し花瓶セットに関する。
【背景技術】
【０００２】
一輪の花を挿して飾るための花瓶として一輪挿し花瓶が普及しており、例えば、１本、２本または３本の花を、この一輪挿し花瓶に挿すことで、花を鑑賞する習慣は、古くから行われていた。
【先行技術文献】
【特許文献】
【０００３】
【特許文献１】実登３０５６４３３号公報
【考案の概要】
【考案が解決しようとする課題】
【０００４】
上記の一輪挿し花瓶は、通常の花瓶と比べると小さく下部が安定させるためにある程度の大きさにしているものもあるが、安定性という観点からは十分なものではなかった。
【０００５】
本考案は、こうした点に鑑みてなされたものであり、１本、２本または３本の花を挿すことができる一輪挿し花瓶を、転倒することなく安定させて載置できる一輪挿し花瓶セットを提供することである。
【課題を解決するための手段】
【０００６】
上記課題を解決するために、本考案に係る一輪挿し花瓶セットは、一輪挿し花瓶と、前記一輪挿し花瓶を載置する台座を有する一輪挿し花瓶セットであって、前記台座には、開口を有する嵌め込み部が、一体的になるように設けられており、前記一輪挿し花瓶の底部分が、前記嵌め込み部の開口に嵌め込まれるように形成されていることを特徴とする。
【０００７】
本考案に係る一輪挿し花瓶セットの態様について、前記一輪挿し花瓶は、第１の一輪挿し花瓶と、第２の一輪挿し花瓶を有し、前記嵌め込み部は、前記第１の一輪挿し花瓶が、嵌め込まれるように形成されている第１の嵌め込み部と、前記第２の一輪挿し花瓶が、嵌め込まれるように形成されている第２の嵌め込み部を有することが好ましい。
【０００８】
本考案に係る一輪挿し花瓶セットの態様について、前記第１の一輪挿し花瓶と前記第２の一輪挿し花瓶は、大きさが異なるように形成された一対の夫婦一輪挿しであることが好ましい。
【考案の効果】
【０００９】
本考案によれば、１本、２本または３本の花を挿すことができる一輪挿し花瓶を、転倒することなく安定させて載置できる一輪挿し花瓶セットを提供することができる。
【図面の簡単な説明】
【００１０】
【図１】実施形態の一輪挿し花瓶セットの一例を示す模式図である。
【図２】実施形態の一輪挿し花瓶と台座の一例を示す模式図である。
【図３】実施形態の一輪挿し花瓶セットの一例を示す参考図である。
【図４】実施形態の一輪挿し花瓶セットの他の一例を示す参考図である。
【考案を実施するための形態】
【００１１】
以下、本考案の一輪挿し花瓶セットの実施形態を、図１から図４を用いて説明する。図１は、一輪挿し花瓶セット１００を示す斜視図であり、図２（ａ）は、一輪挿し花瓶セット１００の第１の一輪挿し花瓶１０と第２の一輪挿し花瓶１１及び台座２０を示す模式図であり、図２図（ｂ）は、一輪挿し花瓶セット１００の第１の一輪挿し花瓶１０と第２の一輪挿し花瓶１１が、台座２０に嵌め込まれた状態を示す模式図であり及び図３及び図４は、一輪挿し花瓶セット１００に、花が活けてある状態を示す参考図である。
【００１２】
本考案の一輪挿し花瓶セットは、一輪挿し花瓶と、一輪挿し花瓶を載置させる台座を有しており、この台座には、開口を有する嵌め込み部が、一体的になるように設けられており、この一輪挿し花瓶の底部分が、嵌め込み部の開口に嵌め込まれるように形成されている。実施形態の一輪挿し花瓶セット１００は、第１の一輪挿し花瓶１０、第２の一輪挿し花瓶１１及び台座２０を有している。
【００１３】
上記のとおり、一輪挿し花瓶セット１００は、第１の一輪挿し花瓶１０、第２の一輪挿し花瓶１１及び台座２０を有している。台座２０は嵌め込み部を有しており、この例においては、第１の一輪挿し花瓶１０が、嵌め込まれるように形成されている第１の嵌め込み部２０ａと、第２の一輪挿し花瓶１１が、嵌め込まれるように形成されている第２の嵌め込み部２０ｂを有している。
【００１４】
一輪挿し花瓶セット１００は、第１の一輪挿し花瓶１０と第２の一輪挿し花瓶１１の大きさが異なるように形成されてもよく、また、例えば、一対の夫婦一輪挿しとして形成されてもよい。
【００１５】
このように本考案の一輪挿し花瓶セット１００は、一または複数の一輪挿し花瓶を、台座２０に、簡易に安定させて載置することができ、上記のとおり夫婦一輪挿しとして使用することができ、また，一輪挿し花瓶を増やすことで、例えば、家族を表す一輪挿しとしても、使用することができる顕著な効果を有するものである。
【００１６】
以上、本考案の有する特徴及び優れた点を上記実施形態に記載したが、本考案は、本願の実用新案登録請求の範囲で使用されている言葉を広く一般的な意味に拡張して実施することができる。
【００１７】
また、本考案の一輪挿し花瓶セットは、大きさや形状、素材の種類、厚さ、重さなどについては多様な実施形態が可能であり、それらについて本実施形態と異なる形態による実施は、本考案の技術的範囲に含まれる。
【符号の説明】
【００１８】
１００  一輪挿し花瓶セット
１０    第１の一輪挿し花瓶
１１    第２の一輪挿し花瓶
２０    台座
２０ａ  第１の嵌め込み部
２０ｂ  第２の嵌め込み部
【図１】
0003215979.tif 000003
【図２】
0003215979.tif 000004
【図３】
0003215979.tif 000005
【図４】
0003215979.tif 000006
(57)【要約】      （修正有）【課題】先端部分が台に触れず衛生的で場所を取らない側面置き調理ヘラを提供する。【解決手段】調理ヘラの柄２の側面を下にして置いてもヘラの先端部分１が浮くように角度３を付けた形状を有する。衛生的で場所を取らず安定して置くことが出来る。【選択図】図１
0003215908.tif 000002
【実用新案登録請求の範囲】
【請求項１】
側面置きし先端部分を浮かせて置くことが出来る調理ヘラ。
【考案の詳細な説明】
【技術分野】
【０００１】調理ヘラを側面置きし、汚れない形状を考案したもの。
【背景技術】
【０００２】調理中に使用するしゃもじやヘラは、汚れないように置き場所に困る。
対策品として、立てるタイプや寝かせて先を浮かせるタイプは存在する。
【先行技術文献】
【特許文献】
【０００３】
【特許文献１】特開２００９−４８１（Ｐ２００９−４８１Ａ）  どこにでも置けるしゃもじ
【特許文献２】実用新案登録第３１３４８９３号（Ｕ３１３４８９３）  しゃもじ
【０００４】
【非特許文献１】株式会社マーナ商品名：立つしゃもじ  ｈｔｔｐ：／／ｗｗｗ．ｍａｒｎａ−ｉｎｃ．ｃｏ．ｊｐ／ｐｒｏｄｕｃｔ／ｓｔａｎｄｉｎｇ−ｒｉｃｅ−ｓｃｏｏｐ／
【考案の概要】
【考案が解決しようとする課題】
【０００５】調理ヘラにおいて、食材に触れる先端部分が台などに直接触れることが無く衛生的で、場所を取らず安定して置くことが出来るようにする。
【課題を解決するための手段】
【０００６】なるべく場所を取らないように調理用ヘラの側面を下にして置くことが出来る柄（握り手）の形状にする。先端の部分は、置いた状態で台などに直接、接しないように浮いた形状にする。
【考案の効果】
【０００７】調理中、鍋や炊飯器の横に場所を取らずに安定して置くことができ、しかも置きやすく取りやすい。先端部分が上向きに浮いている形状なので直接台などに触れることが無く衛生的で台も汚れなくなる。
【図面の簡単な説明】
【０００８】
【図１】横から見た図（側面図）
【図２】上から見た図（平面図）
【図３】先端方向から見た図（正面図）
【図４】後方（柄の後ろ）から見た図
【図５】先端斜め方向から見た図（立体図）
【考案を実施するための形態】
【０００９】以下、添付図面に従って説明する。柄（図１（２））の下になる部分が広くなるように三角形状にすることで安定させる。しかも持ち上げやすく
握りやすい形状にした（図４参照）。ヘラの先端部分（図１（１））は、台などに触れないように浮いた形状（図１（３））にした。
【実施例】
【００１０】調理の際、置き場所を探すことなく台などの上に安定して置くことができ、次に使用するときも容易に持ち上げることが出来た。先端部分は、置いている時、そして柄を握る時も置く時も台などに接することなく使用できた。
【産業上の利用可能性】
【００１１】木やプラスチックなど調理器具に適した様々な素材で製造が可能。
【符号の説明】
【００１２】（１）  ヘラ先端部分
（２）  柄（握り手）
（３）  浮いている部分
【図１】
0003215908.tif 000003
【図２】
0003215908.tif 000004
【図３】
0003215908.tif 000005
【図４】
0003215908.tif 000006
【図５】
0003215908.tif 000007
【手続補正書】
【提出日】平成30年2月1日(2018.2.1)
【手続補正１】
【補正対象書類名】実用新案登録請求の範囲
【補正対象項目名】全文
【補正方法】変更
【補正の内容】
【実用新案登録請求の範囲】
【請求項１】
柄の部分（２）に重心を置き、かつ平らにした側面を下にすることで、せり上がった形状（３）の先端部分（１）を浮かせて置くことが出来る
ことを特長とする調理ヘラ。
(57)【要約】      （修正有）【課題】雨除けや日除け、又は花粉除けとしてコンパクトに携帯でき、手入れが容易で視界を狭めない特徴を持つシートを提供する。【解決手段】不使用時は、鍔全形の３分の２程度の面積と形を有する外周が相似形の２枚の粘着性プラスチックシートＡ、Ｂを重ね保持及び携帯し、使用時は、シートのうち１枚を裏返し、それぞれその半分程度の面積を重ね合わせ、鍔の形状になるように密着させ組み立て、シート本体に設けた所定の通し穴Ａ１、Ｂ１にスカーフ等の布や紐を通して頭囲に結んで装着し、バイザーやキャップとして使用する。花粉や埃で汚れた場合は、水洗いのみ或は中性洗剤を使用して洗い、タオル等で水気を拭き取って再使用する。また水の無い場合は消毒用アルコールで清拭する。【選択図】図２
0003215906.tif 000002
【実用新案登録請求の範囲】
【請求項１】
２枚のプラスチックシートを組み合わせ、重なる部分を粘着させ鍔の形状にして、シート本体に設けた所定の通し穴にスカーフ等の布や紐を通して頭囲に結んで装着して、バイザーやキャップとして使用する携帯シート。
【考案の詳細な説明】
【技術分野】
【０００１】本考案は、携帯してスカーフ等の布や紐と組み合わせ、雨や日差し或は花粉などを避けるバイザーとして使用するため独自のカットを施した防水性と自己粘着性を有したプラスチックのシートに関するものである。
【背景技術】
【０００２】天候や環境の変化に応じて使用できるように、嵩張らず保持や携帯が容易な防具が望まれる。
【考案の概要】
【考案が解決しようとする課題】
【０００３】携帯しても嵩張らず、手入れの手間が掛からない。
日除けや、傘を差さない自転車走行時の雨除けとして、レインポンチョ等の補助として使用する。
花粉飛散時に防護手段の一つとして着用し、脱いだ時には簡単に花粉を除去して再使用可能なこと。
【課題を解決するための手段】
【０００４】当考案のシートを、日除けにする場合、同素材ＵＶシートの粘着力を利用して貼り、効果を増強することも可能である。雨の場合はレインコートやレインポンチョのフードの内側に装着する。また、花粉飛散時は単独使用や、花粉除け眼鏡等と併せて着用すると更に効果的である。再使用する時は、水や洗剤で洗い流す、又はアルコール清拭でも花粉を除去することが出来る。晴雨・花粉飛散の何れの場合も組み立ててスカーフ等を所定の穴のに通して頭囲に結んで使用する。
【図面の簡単な説明】
【０００６】
【図１】本考案の相似形２枚組シートの１枚である。
【図２】シートを鍔の形に組み合わせた図である。
【図３】バイザーとしての使用例の図である。
【考案を実施するための形態】
【０００７】相似形のシートの１枚を裏返し左右対称形になるようにして目印の穴３つ（２，３，４）が重なるように［図２］のように貼り合わせる。スカーフ等の布をシートに設置した穴Ａ１とＢ１に通して、［図３］のバイザーの鍔になるように頭囲に結んで使用する。５の額当ては、頭囲にスカーフを結ぶと額に添って立ち上がり、鍔を額中心に固定してずれない役割りをする。
【符号の説明】
【０００８】  Ａ  シート本体１
Ｂ  シート本体２
Ｃ  スカーフ等の布
Ａ１  スカーフ等布の通し穴
Ｂ１  スカーフ等布の通し穴
２，３，４  目印の穴
５  額当て
【図１】
0003215906.tif 000003
【図２】
0003215906.tif 000004
【図３】
0003215906.tif 000005
【手続補正書】
【提出日】平成30年1月31日(2018.1.31)
【手続補正１】
【補正対象書類名】実用新案登録請求の範囲
【補正対象項目名】全文
【補正方法】変更
【補正の内容】
【実用新案登録請求の範囲】
【請求項１】
鍔全形の３分の２程度の面積と形を有する２枚の粘着性プラスチックシートのうち１枚を裏返し、それぞれその半分程度の面積を重ね合わせ、鍔の形状になるように密着させ組み立て、シート本体に設けた所定の通し穴にスカーフ等の布や紐を通して頭囲に結んで装着し、バイザーやキャップとして使用する携帯シート。